(57)【要約】【課題】    ゴム中にもたらされる発熱を発散するゴムクロ−ラの構造にかかり、転動面に改良を加え、熱の発散に優れた構造としたものであり、ゴムの老化が極めて低減されたものであり、ゴムクロ−ラの寿命が著しく向上した。【解決手段】  無端状ゴム弾性体に埋設された芯金と、同時に埋設されたスチ−ルコ−ドと、外周にゴムラグが形成され、スプロケットとアイドラ−に巻き掛けされ、内周面を転輪が転動してなるゴムクロ−ラであって、転輪の転動面がゴムクロ−ラの内周面より内側に形成され、かつ転動面が内周側平面視で芯金に対応する部位で広く、芯金間のゴム部で狭い転動面である。１‥無端状ゴム弾性体、２‥芯金、５‥転動面、５ａ‥転動面のストレ−ト部、５ｂ‥転動面の窪み部、５ｐ‥転動面の幅広部、５ｑ‥転動面の幅狭部。【選択図】  図１
2006159943.tif 000002
【特許請求の範囲】
【請求項１】
無端状ゴム弾性体の長手方向に向かって一定ピッチをもって埋設された芯金と、これを外囲いして同時に埋設されたスチ−ルコ−ドと、外周にゴムラグが形成され、スプロケットとアイドラ−に巻き掛けされ、内周面を転輪が転動してなるゴムクロ−ラであって、転輪の転動面がゴムクロ−ラの内周面より内側に形成され、かつ転動面が内周側平面視で芯金に対応する部位で広く、芯金間のゴム部で狭い転動面であることを特徴とするゴムクロ−ラ。
【発明の詳細な説明】
【技術分野】
【０００１】
本発明は、ゴムクロ−ラの構造に係るものであり、転輪の転動面に生じる内部発熱を発散するための構造に関するものである。
【背景技術】
【０００２】
ゴムクロ−ラはスプロケット及びアイドラ−に巻き掛けされ、内周面に転輪が転動して走行する構造となっている。しかるに、転輪が転動するゴムクロ−ラ内周面に大きな歪みがもたらされるため、これを回避する方法として、ゴムクロ−ラの内周面の転輪の転動部位に肉厚の走行部を形成することが行われ、歪みを吸収することが行われている。
【０００３】
特にゴムクロ−ラには一般に芯金が一定ピッチにて配置されており、特に芯金間のゴム部が巻き掛け時の曲げ変形や走行面側からの突起物等に乗り上げることによって屈曲がもたらされるため、かかるゴム部に大きな発熱がもたらされる。その発熱温度は場合によっては１３０度にもなり、芯金とゴム間の接着劣化、ゴム部の熱老化が発生し、ゴムクロ−ラの寿命の低下がもたらされていた。
【０００４】
かかる発熱に対してゴム中よりこれを発散させることが必要ではあるが、現状のゴムクロ−ラにあっては、発熱の発散に対して対策を施すことはされていなかった。
【発明の開示】
【発明が解決しようとする課題】
【０００５】
本発明は以上の従来技術に鑑みてなされたものであって、ゴム中にもたらされる発熱を発散するゴムクロ−ラの構造を提供するものである。
【課題を解決するための手段】
【０００６】
本発明の要旨は、無端状ゴム弾性体の長手方向に向かって一定ピッチをもって埋設された芯金と、これを外囲いして同時に埋設されたスチ−ルコ−ドと、外周にゴムラグが形成され、スプロケットとアイドラ−に巻き掛けされ、内周面を転輪が転動してなるゴムクロ−ラであって、転輪の転動面がゴムクロ−ラの内周面より内側に形成され、かつ転動面が内周側平面視で芯金に対応する部位で広く、芯金間のゴム部で狭い転動面であることを特徴とするものである。
【発明の効果】
【０００７】
本発明にあって、ゴムの発熱が最も大きい転輪の転動面に改良を加え、熱の発散に優れた構造としたものであり、ゴムの老化が極めて低減されたものであり、ゴムの寿命が著しく向上したものである。
【発明を実施するための最良の形態】
【０００８】
本発明は、転輪の転動面の工夫は転動面におけるゴムの発熱の状態を精査した結果からのものであり、ゴムの発熱の大きい部位とその他の部位を区分し、前者に対応する部位にのみ工夫を加えたものであり、発熱がしやすいようにこの部位だけ転動面を内周側平面視で芯金間のゴム部を狭くした構造としたものである。
【０００９】
具体的に言えば、内周側平面視で転動面の一側を直線とし、反対側にゴム部に対応する部位に凹みを形成したものであり、更には、転動面の両側に同様に凹みを形成したものである。
【実施例】
【００１０】
以下、図面をもって本発明を更に詳細に説明する。図１は本発明のゴムクロ−ラの内周側平面視であり、図２はＡ−Ａ線での断面図である。図中、符号１はゴムクロ−ラの基体となる無端状ゴム弾性体、２はこの無端状ゴム弾性体１に一定ピッチをもって埋設された芯金、２ａは芯金から伸びる突起、３は芯金２の翼部２ｂを外側より囲んで同時に無端状ゴム弾性体１に埋設したスチ−ルコ−ド、４はラグである。符号１０は図示しない機体に備えられている転輪であり、これがゴムクロ−ラ１の内周面上を転動するもので、５は前記突起２ａの左右の外側に形成した転動面である。
【００１１】
さて、この例では、かかる転動面５が内周側平面視で突起２ａ側はストレ−トに伸び（５ａ）、左右の外側に窪み５ｂが形成されて転動面５に幅広の部位５ｐと幅狭の部位５ｑとを交互に形成したものである。特に幅狭５ｑは芯金２、２間の転動面に形成したものである。
【００１２】
これによって、ゴムクロ−ラに発熱が起こった場合でも、その発熱の中心であるゴム部の転動面が狭いため熱の発散の程度は大きく、これによってゴムクロ−ラの寿命が延びることとなったものである。
【００１３】
図３は本発明のゴムクロ−ラの第２例を示す内周側平面視であり、符号１〜５、１０は前記と同様でありここでは説明を省略する。さて、この例では転動面５の左右幅側がストレ−トに伸び（５ａ）、中央側に窪み５ｂが形成されて、幅広の部位５ｐと幅狭の部位５ｑが形成されたものである。勿論、この窪み５ｂは前例と同じく芯金２、２間のゴム部に形成されるものである。
【００１４】
図４は本発明のゴムクロ−ラの第３例を示す内周側平面視であり、符号１〜５、１０は前記と同様であり説明を省略する。さて、この例では転動面５の左右幅側及び中央側に夫々窪み５ｂが形成されて、幅広の部位５ｐと幅狭の部位５ｑが形成されたものである。勿論、この窪み５ｂは芯金２、２間のゴム部に形成されるものである。
【００１５】
尚、図示はしないが、幅狭の部位５ｑの背丈をやや高くしておるとその分振動の低減がもたらされる。
【産業上の利用可能性】
【００１６】
本発明は、転輪の転動によるゴムクロ−ラのゴム部の発熱に対処して転動面を工夫したものであり、発熱によるゴムの劣化も少なくゴムクロ−ラの耐久性の向上を見たものである。
【００１７】
尚、ゴムクロ−ラの転輪の転動面は内周側にある厚さをもって帯状に設けられるが、この部位のゴム厚は他の部位とはかなり異なる。従って、ゴムクロ−ラの加硫成形時に加硫時間が余計に掛ることになるが、本発明における窪み部の形成は加硫時間の短縮ができるという面での特徴も兼ね備えている。
【図面の簡単な説明】
【００１８】
【図１】図１は本発明の第１実施例の内周側平面図である。
【図２】図２は図１のＡ−Ａ線での断面図である。
【図３】図３は本発明の第２実施例の内周側平面図である。
【図４】図４は本発明の第３実施例の内周側平面図である。
【符号の説明】
【００１９】
１‥無端状ゴム弾性体、
２‥芯金、
２ａ‥突起、
２ｂ‥翼部、
３‥スチ−ルコ−ド、
４‥ラグ、
５‥転輪の転動面、
５ａ‥転動面のストレ−ト部、
５ｂ‥転動面の窪み部、
５ｐ‥転動面の幅広部、
５ｑ‥転動面の幅狭部、
１０‥転輪。
【図１】
2006159943.tif 000003
【図２】
2006159943.tif 000004
【図３】
2006159943.tif 000005
【図４】
2006159943.tif 000006